(57)【要約】【課題】自分の車の順番待ちの数、及び／又は順番待ちの時間を把握することの可能な順番待ち検出システムを提供する。【解決手段】カメラで撮影した車の数を数検出手段が検出する。数検出手段の検出した数は、数発信手段から発信される。終了検出手段は、順番待ちをしている先頭の車の所要が終了したことを検出する。その終了検出手段が先頭の車の所要の終了を検出したとき、順番待ちの数を１減らす信号が減数発信手段から発信される。携帯電話は、数発信手段から発信された数の信号を最初に受信したとき、その数から１減らした数を表示する。また、減数発信手段から順番待ちの数を１減らす信号を受信したとき、表示した数を１減らして表示する。【選択図】図２
2013034135.tif 000002
【特許請求の範囲】
【請求項１】
順番待ちをしている車を撮影するカメラと、
カメラで撮影した車の数を検出する数検出手段と、
数検出手段の検出した数を発信する数発信手段と、
順番待ちをしている先頭の車の所要が終了したことを検出する終了検出手段と、
終了検出手段が先頭の車の所要の終了を検出したとき、順番待ちの数を１減らす信号を発信する減数発信手段と、
数発信手段から発信された数の信号を最初に受信したとき、その数またはその数から１減らした数を表示し、減数発信手段から順番待ちの数を１減らす信号を受信したとき、表示した数を１減らして表示する受信機と、を備えた順番待ち検出システム。
【請求項２】
受信機は、順番待ち検出システムが動作可能なアプリケーションを有する携帯電話である、請求項１に記載の順番待ち検出システム。
【請求項３】
終了検出手段が先頭の車の所要の終了を検出する時間の間隔を検出する時間間隔検出手段と、
時間間隔検出手段の検出した時間間隔の一定時間における平均時間を検出する平均時間検出手段と、
平均時間検出手段の検出した平均時間を発信する平均時間発信手段と、を備え、
受信機は、平均時間発信手段から発信された平均時間を受信したとき、その平均時間と表示している数との積を表示する、順番待ち検出システム。
【発明の詳細な説明】
【技術分野】
【０００１】
本発明は順番待ちの数及び／又は時間を検出することの可能な順番待ち検出システムに関する。
【背景技術】
【０００２】
従来より、ドライブスルーでは、車の列に並んでいると、商品を購入するまでの時間を把握することが困難であった。
特許文献１には、フードコートで自分の注文した料理が提供されるまでの順番待ちの人数、または順番待ちの時間を、店舗から渡された受信機の画面に表示する技術が開示されている。
【先行技術文献】
【特許文献】
【０００３】
【特許文献１】特開２０１１−８７７１
【発明の開示】
【発明が解決しようとする課題】
【０００４】
しかしながら、ドライブスルーでは、一般に店側から受信機を受け取ることがないので、特許文献１の技術を使用して先頭の車から自分の車までの数、または順番待ちの時間を把握することができない。
本発明は、上記問題に鑑みてなされたものであり、自分の車の順番待ちの数、及び／又は順番待ちの時間を把握することの可能な順番待ち検出システムを提供することにある。
【課題を解決するための手段】
【０００５】
上記課題を解決するため、請求項１に係る順番待ち検出システムでは、カメラによって順番待ちをしている車を撮影する。そのカメラで撮影した車の数を数検出手段が検出する。数検出手段の検出した数は、数発信手段から発信される。
終了検出手段は、順番待ちをしている先頭の車の所要が終了したことを検出する。減数発信手段は、終了検出手段が先頭の車の所要の終了を検出したとき、順番待ちの数を１減らす信号を発信する。
受信機は、数発信手段から発信された数の信号を最初に受信したとき、その数またはその数から１減らした数を表示する。また、減数発信手段から順番待ちの数を１減らす信号を受信したとき、表示した数を１減らして表示する。
これにより、先頭の車から自分の車までの台数、すなわち、自分の車の順番待ちの数を把握することができる。
【０００６】
請求項２では、受信機は、順番待ち検出システムが動作可能なアプリケーションを有する携帯電話である。
【０００７】
請求項３では、順番待ち検出システムは、終了検出手段が先頭の車の所要の終了を検出する時間の間隔を検出する時間間隔検出手段と、時間間隔検出手段の検出した時間間隔の一定時間における平均時間を検出する平均時間検出手段と、平均時間検出手段の検出した平均時間を発信する平均時間発信手段と、を備える。
受信機は、平均時間発信手段から発信された平均時間を受信したとき、その平均時間と表示している数との積を表示する。
これにより、自分の車の順番待ちの時間を把握することができる。
【図面の簡単な説明】
【０００８】
【図１】本発明の実施形態の順番待ち検出システムの構成図である。
【図２】本発明の実施形態の順番待ち検出システムが使用される店舗の平面図である。
【図３】本発明の実施形態の順番待ち検出システムに使用される携帯電話の画面を示す図である。
【図４】本発明の実施形態の順番待ち検出システムに使用される携帯電話のアプリケーションのフローチャートである。
【発明を実施するための形態】
【０００９】
以下、本発明の実施形態を図面に基づいて説明する。
（第１実施形態）
第１実施形態の順番待ち検出システムは、図１に示すように、３台のカメラ１，２，３、レジスター４、コンピュータ５および携帯電話６で構成される。
図２に示すように、カメラ１，２，３、レジスター４およびコンピュータ５は、店舗７に設置される。携帯電話６は車Ａに乗車する運転者が所有するものである。
カメラ１，２，３は、ドライブスルーで順番待ちをしている車Ａ〜Ｈを撮影する。
そのカメラ１，２，３で撮影した画像はコンピュータ５の数検出手段８に入力される。数検出手段８は、例えば車の外郭、またはタイヤと地面との接地する数などを解析することで、車の数を検出する。なお、複数のカメラに同時に撮影された車については、その車の位置またはナンバーなどから、重複した数が減らされる。数検出手段８の検出した数は、数発信手段９から発信される。この信号は、インターネットなどを通じ、順番待ち検出システムが使用可能なアプリケーションがダウンロードされた携帯電話６に配信される。
店舗７の商品引き渡しカウンターでレジスター４に購入金額が入力されると、終了検出手段１０は、順番待ちをしている先頭の車Ｈが商品の購入（所要）を終了したことを検出する。このとき、減数発信手段１１は順番待ちの数を１減らす信号を発信する。この信号も、インターネットなどを通じ、携帯電話６に配信される。また、この信号は、受信する携帯電話が以前に送信した信号と混同しないよう、識別番号と共に配信される。
また、時間間隔検出手段１２は、車が所要を終了したことを終了検出手段１０が検出する時間の間隔を検出する。そして、平均時間検出手段１３は、時間間隔検出手段１２の検出した時間間隔の一定時間における平均時間を検出する。なお、一定時間とは、例えば数台の車が一般に所要を終了する時間である。
携帯電話は、数発信手段９から発信された数の信号を最初に受信したとき、その数またはその数から１減らした数を店舗に並んでいる車の台数として表示する。受信した数から１減らすのは、携帯電話に表示する数に自分の車を含めないようにするためである。
また、携帯電話は、減数発信手段から順番待ちの数を１減らす信号を受信したとき、表示した数を１減らし、自分の車よりも前に並んでいる車の台数として表示する。
さらに、携帯電話６は、平均時間発信手段１４から発信された平均時間を受信したとき、その平均時間と表示している数との積を、商品を購入するまでの予想時間として表示する。
【００１０】
ドライブスルーを備える店舗７に複数の車が並んでいる状況で、矢印に示すように、車Ａがその最後尾に並んだときの順番待ち検出システムの作動について図３および図４のフローチャートに基づいて説明する。なお、下記の（Ｓ１）〜（Ｓ９）は、図４のフローチャートに対応するものである。
図３（Ａ）に示すように、車Ａに乗車した運転者は、携帯電話６の順番待ち検出システムが使用可能なアプリケーション１５をＯＮする（Ｓ１）。すると、図３（Ｂ）に示すように、画面の地図上に店舗の図形１６が表示される。運転者は、店舗の図形１６をクリックする（Ｓ２）。なお、携帯電話６に店舗のリストを表示し、その店舗名をクリックするようにしてもよい。
携帯電話は、図３（Ｃ）に示すように、指定された店舗７の数発信手段９から発信された数の信号、および、平均時間発信手段１４から発信された平均時間を最初に受信したとき（Ｓ３）、店舗に並んでいる車の台数と、商品を購入するまでの予想時間を表示する（Ｓ４）。そして、図３（Ｄ）に示すように、列の先頭の車が商品の購入を終えるごとに配信される信号を受信すると（Ｓ５、Ｓ６）、表示した数から１減らすことで自分の車から先頭の車までの車の台数を表示するとともに、その台数と平均時間との積により商品を購入するまでの予想時間を表示する（Ｓ７）。
なお、携帯電話の上段の表示画面１７には、店舗の宣伝、又は、商品のメニューなどを表示してもよい。
予想時間が所定の時間Ｔ１よりも短くなると（Ｓ８）、例えば画面上で店舗のマスコットキャラクターが踊りを披露する（Ｓ９）。所定の時間Ｔ１は、間もなく商品を購入することが可能となる時間、例えば１分に設定される。これにより、購買意欲が高まる。
【００１１】
さらに、順番待ち検出システムは、図１に示すように、現在ドライブスルーに並んでいる車の台数と、商品を購入可能となるまでの予想時間を表示する電光掲示板１８を備える。この電光掲示板１８には、携帯電話６にそれらを表示する表示方法と同様に、数発信手段９と平均時間発信手段１４の信号に基づくものである。ただし、各発信手段９，１４は、インターネットを経由することなく、コンピュータから直接電光掲示板に信号が送信される。
【符号の説明】
【００１２】
１，２，３：カメラ、６：携帯電話（受信機）、８：数検出手段、９：数発信手段、１０終了検出手段、１１：減数発信手段、１２：時間間隔検出手段、１３：平均時間検出手段、１４：平均時間発信手段
【図１】
2013034135.tif 000003
【図２】
2013034135.tif 000004
【図３】
2013034135.tif 000005
【図４】
2013034135.tif 000006